(57)【特許請求の範囲】
【請求項１】
アンテナ素子と、上記アンテナ素子を外周面に固定する棒状の絶縁樹脂製のコア部と、上記アンテナ素子を固定した上記コア部の外周を覆う絶縁性の筒状に形成されたカバーと、上記カバーの内周と上記コア部の外周間で形成される界面の上端位置を下端部分で塞ぐようにして配された導電性のキャップとを備え、上記アンテナ素子の上端部上の位置にあたる上記コア部の外周位置に凹部または凸部を設け、そこに上記カバーの内周に設けた凸部または凹部を嵌め合わせた構成とすることによって、上記アンテナ素子の上端部と上記キャップの下端部分との間の位置において、上記カバーと上記コア部との間で形成される界面が屈曲した長い距離のものとされて当該界面箇所に沿う上記アンテナ素子の上端部と上記キャップの下端部分の間での静電気の伝達を抑えたものとしたことを特徴とするアンテナ。
【請求項２】
カバーが、インサート成形によって構成された請求項１記載のアンテナ。
【発明の詳細な説明】
【０００１】
【発明の属する技術分野】
本発明は、主として携帯電話等の移動体通信用の無線機に使用されるアンテナに関するものである。
【０００２】
【従来の技術】
近年、携帯電話等の移動体通信用の無線機に対する需要が急激に高まり、文字情報等のサービスが多様化するに伴い、無線機に求められる性能も厳しくなってきており、それに付随して無線機に搭載されているアンテナも小型軽量化、高感度対応や、広帯域化等が要望されている。
【０００３】
このような従来の無線機に搭載されているアンテナについて、図３を用いて説明する。
【０００４】
図３は従来のアンテナの断面図であり、同図において、１は銅線や銅合金板材などの導電材料からなるコイル状に構成されたアンテナ素子である。
【０００５】
このアンテナ素子１は、ＡＢＳなどの絶縁性樹脂からなる棒状のコア部２により所定ピッチを維持するようにして保持されている。
【０００６】
そして、コア部２の下部には、下方にネジ部を有する金属製の給電金具３が結合されており、上記アンテナ素子１と給電金具３とは電気的に接続されている。
【０００７】
また、コア部２の上端部には、金属製もしくは絶縁性樹脂に金属メッキが施されて構成された見栄えのよい導電性のキャップ４が装飾部品として固着されている。
【０００８】
そして、５は、ＡＢＳなどの絶縁性樹脂からなる筒状のカバーであり、アンテナ素子１およびコア部２の外周を覆うと共に、その上下端部が、各々キャップ４と給電金具３に固着されている。つまり、上記カバー５の内周と上記コア部２の外周との間で形成される界面の上端位置は、導電性のキャップ４の下端部分で塞がれた構成になっている。
【０００９】
以上のように構成される従来のアンテナ６は、完成状態では、側面視で略砲弾形状をなしている。
【００１０】
そして、上記従来のアンテナ６は、使用機器である無線機（図示せず）に搭載する際に、給電金具３のネジ部を無線機内部に配された金属製のナット（図示せず）に締め込むことによって、無線機に対し機械的かつ電気的に装着接続される。
【００１１】
この搭載状態で、アンテナ素子１で誘起される高周波電流は、給電金具３、金属製のナットを経て無線機内部に配置された所定の回路部に流れるようになり、これによって、無線機としてアンテナ６を介し情報の送受信ができるようになるものであった。
【００１２】
なお、この出願の発明に関連する先行技術文献情報としては、例えば、特許文献１が知られている。
【００１３】
【特許文献１】
特開平４−１３４９０６号公報
【００１４】
【発明が解決しようとする課題】
しかしながら上記従来のアンテナ６においては、人が無線機を握って操作する際、例えばその操作用ボタンを介して人体に帯電した静電気が機器筐体内の回路部に伝わると、その無線機内部の回路を経て給電金具３およびアンテナ素子１へ伝達されることもあり、この時、アンテナ素子１の上端部と導電性のキャップ４の下端部分との間隔が狭いと、アンテナ素子１に通じた静電気がアンテナ素子１の上端部から、コア部２とカバー５との間の界面を伝わってキャップ４に放電され、そうなると過大な電流が流れ無線機内部のＩＣなどを破損する可能性があることも考慮され、コア部２とカバー５との間の界面の上端位置が導電性のキャップ４の下端部分で塞がれる構成とする場合については、アンテナ素子１の上端部と導電性のキャップ４の下端部分との間の間隔としては、一定以上の設定寸法が必要で、当該構成のアンテナ６において小型化の阻害要因ともなっていた。
【００１５】
本発明は、このような従来の課題を解決するものであり、アンテナ素子を固定するコア部とその外周を覆うカバーにより形成される界面の上端位置が導電性のキャップの下端部分で上方から塞がれる構成とされたキャップ付きのアンテナにおいて、上記アンテナ素子の上端部と上記導電性のキャップの下端部分との間の位置にあたる上記界面箇所に静電気対策を施したアンテナを提供することを目的とする。
【００１６】
【課題を解決するための手段】
上記目的を達成するために本発明は、以下の構成を有するものである。
【００１７】
本発明の請求項１に記載の発明は、アンテナ素子と、上記アンテナ素子を外周面に固定する棒状の絶縁樹脂製のコア部と、上記アンテナ素子を固定した上記コア部の外周を覆う絶縁性の筒状に形成されたカバーと、上記カバーの内周と上記コア部の外周間で形成される界面の上端位置を下端部分で塞ぐようにして配された導電性のキャップとを備え、上記アンテナ素子の上端部上の位置にあたる上記コア部の外周位置に凹部または凸部を設け、そこに上記カバーの内周に設けた凸部または凹部を嵌め合わせた構成とすることによって、上記アンテナ素子の上端部と上記キャップの下端部分との間の位置において、上記カバーと上記コア部との間で形成される界面が屈曲した長い距離のものとされて当該界面箇所に沿う上記アンテナ素子の上端部と上記キャップの下端部分の間での静電気の伝達を抑えたものとしたことを特徴とするアンテナとしたものである。当該構成であれば、アンテナ素子を固定するコア部とその外周を覆うカバーにより形成される界面の上端位置が導電性のキャップの下端部分で上方から塞がれる構成とされたキャップ付きのアンテナであっても、アンテナ素子の上端部とキャップの下端部分との間の上記界面箇所の沿面距離を屈曲した長いものにできると共に、その界面部分に設けられた樹脂からなる凸部は直線的に伝わる静電気に対しては遮蔽部の役目をするので、アンテナ素子の上端部とキャップの下端部分との間で上記界面箇所に沿って静電気が飛び難いものにでき、その間の寸法を小さく設定して外形の小型化を図ることも可能になるという作用を有する。
【００１８】
請求項２に記載の発明は、請求項１記載の発明において、カバーが、インサート成形によって構成されたものであり、インサート成形でカバーを構成すると、カバーとコア部との密着度合いが向上するため、より静電気の導電路を塞いだものとすることができるという作用を有する。
【００１９】
【発明の実施の形態】
以下、本発明の実施の形態について、図１、図２を用いて説明する。
【００２０】
（実施の形態）
図１は本発明の一実施の形態によるアンテナの断面図であり、同図において、１１は銅線や銅合金板材などの導電材料からなるコイル状に構成されたアンテナ素子、１２はアンテナ素子１１を所定ピッチを維持して保持するＡＢＳなどの絶縁性樹脂からなる棒状のコア部で、そのコア部１２の下部にネジ部を有する金属製の給電金具１３が結合され、アンテナ素子１１と給電金具１３とは電気的に接続されている。
【００２１】
そして、コア部１２の上端部には、金属製もしくは絶縁性樹脂に金属メッキが施されて構成された見栄えのよい導電性のキャップ１４が装飾部品として固着されている。
【００２２】
上記のアンテナ素子１１およびコア部１２の外周部分は、ＡＢＳなどの絶縁性樹脂からなる円筒部としてのカバー１５で被覆され、カバー１５の上下端部は、各々キャップ１４と給電金具１３に固着されている。
【００２３】
そして、コア部１２には、アンテナ素子１１の上方の端部１１Ａとキャップ１４の下方部分との間の上部位置に、凹部１２Ａが設けられ、また、その凹部１２Ａに対応するカバー１５の内面位置には凸部１５Ａが設けられており、上記凹部１２Ａに凸部１５Ａが嵌め込まれて本実施の形態によるアンテナ１６は構成されている。
【００２４】
以上のように構成される本実施の形態による外形略砲弾状のアンテナ１６は、給電金具１３のネジ部を無線機（図示せず）内部に配された金属製のナット（図示せず）に締め込むことによって機械的かつ電気的に無線機に装着される。
【００２５】
この搭載状態で、アンテナ素子１１で誘起される高周波電流は、給電金具１３、金属製のナットを経て無線機内部に配置された所定の回路部に流れ、これにより、無線機としてアンテナ１６を介し情報の送受信が可能となるものである。
【００２６】
そして、本実施の形態によるアンテナ１６は、アンテナ素子１１の上方の端部１１Ａとキャップ１４の下方部分との間のコア部１２の上部位置に設けた凹部１２Ａに対し、カバー１５の内面に設けた凸部１５Ａを嵌め込んだ構成であるため、当該箇所においては、コア部１２外周とカバー１５内周との界面が上下方向では屈曲した長いものとなり、アンテナ素子１１の上方の端部１１Ａと上記界面の上端部を塞ぐキャップ１４の下端部分との導電性部材間の上記界面箇所の沿面距離が長く構成されたものにでき、アンテナ素子１１の上方の端部１１Ａとキャップ１４の下端部分の間で上記界面箇所に沿って静電気が飛び難いものにできる。また、当該界面箇所に設けられた樹脂からなる凸部１５Ａは、直線的に伝わる静電気に対しては遮蔽部の役目をするようになる。
【００２７】
この凹凸の嵌め合い構造としたために、例えば無線機の操作時に人体に帯電した静電気が無線機の操作用ボタンを介して無線機内部の回路部に伝わり、その無線機の内部の回路を経て給電金具１３に伝わって、給電金具１３からアンテナ素子１１へ流れても、アンテナ素子１１の上方の端部１１Ａ上の、コア部１２とカバー１５との間の界面箇所が屈曲した長い距離のものになっているため、アンテナ素子１１の上方の端部１１Ａから当該界面箇所に沿っての静電気の伝達が抑えられてキャップ１４まで伝わりにくくでき、簡単な構造で静電気対策が図られた、キャップ１４を有する装飾性に優れた高品質のアンテナ１６を安価に実現できる。
【００２８】
そして、反対に例えば外装のキャップ１４に指などが触れてしまっても、外装のキャップ１４側からの静電気も、同様にコア部１２とカバー１５との間の界面の上端部を塞ぐように配されたキャップ１４の下端部から、上記界面箇所に沿ってアンテナ素子１１の上方の端部１１Ａに飛び難くなるため、アンテナ素子１１に繋がる使用機器への配線基板などに対する静電気の影響も低減できる。
【００２９】
なお、上述のようにアンテナ１６における静電気の影響が低減できるため、アンテナ素子１１とキャップ１４との導電性部材間の配置距離も低減してアンテナ１６の外形を小形化することも可能となる。
【００３０】
また、筒状部であるカバー１５を形成する方法として、コイル状のアンテナ素子１１を外周に配した棒状のコア部１２を成形金型にセットして、絶縁性樹脂でインサート成形してカバー１５を形成することにより、コア部１２の凹部１２Ａとカバー１５の凸部１５Ａとの密着度合いが向上するので、より静電気の導電路が塞がれた確実な静電気対策が図られたものに安価にできる。
【００３１】
なお、コア部１２の凹部１２Ａとカバー１５の凸部１５Ａとを逆転させて、コア部１２側に凸部、カバー１５側に凹部を設けたもの、あるいは凹凸部を双方それぞれに設けて嵌め合わせるようにしても、アンテナ素子１１とキャップ１４との沿面距離を長くすることができるので同様な静電気対策効果が得られる。
【００３２】
また、本実施の形態では、コア部１２の凹部１２Ａおよびカバー１５の凸部１５Ａは、一部分に設けたもので説明したが、図２に示すように、コア部２１の棒状の外周面全面に凹部２１Ａおよびそれに対応するカバー２２の内周面の全周に凸部２２Ａを設けたアンテナ２３としても同様の効果が得られる。
【００３３】
さらに、静電気対策構造としては、上記に説明した構造以外であってもよく、導電性の見栄えのよいキャップを備えたアンテナにおいて、当該キャップとアンテナ内に保持してあるアンテナ素子の間に絶縁性を拡充するための構造を備えたものは本発明の範疇に入り、また、アンテナ素子などの形状もコイル状に限定されることはなく、さらに、その他の部材構成も上記説明以外のものであってもよい。
【００３４】
【発明の効果】
以上のように本発明によれば、簡単な構造で静電気対策が図れた導電性キャップ付きのアンテナを得ることができるという有利な効果が得られる。
【００３５】
また、アンテナ素子と導電性のキャップとの導電性部材間の配置距離も低減できる分、アンテナの小型化にも寄与できる。
【図面の簡単な説明】
【図１】  本発明の一実施の形態によるアンテナの断面図
【図２】  同他の構成形態のアンテナの断面図
【図３】  従来のアンテナの断面図
【符号の説明】
１１  アンテナ素子
１１Ａ  端部
１２，２１  コア部
１２Ａ，２１Ａ  凹部
１３  給電金具
１４  キャップ
１５，２２  カバー
１５Ａ，２２Ａ  凸部
１６，２３  アンテナ
【図１】
0004049005.tif 000002
【図２】
0004049005.tif 000003
【図３】
0004049005.tif 000004